(57)【要約】【課題】  定着部の温度を定着可能温度まで立ち上げる時間を短縮して、印刷中の定着温度の落ち込みを解消でき、補助電源の寿命が長く安価な画像形成装置を提供する。【解決手段】  電気二重層キャパシタ１９と、電気二重層キャパシタ１９を充電する電力源であるリチウムイオン電池２３と、電気二重層キャパシタ１９の電力で定着部を加熱する第１定着ヒータ１７と、外部電源２からの電力で定着部を加熱する第２定着ヒータ２６と、外部電源２からの電力でリチウムイオン電池２３を充電するか、リチウムイオン電池２３の電力を放電して電気二重層キャパシタ１９を充電するかを切り替えるリレースイッチ２４とを備え、上記電源スイッチがオン状態のときにリチウムイオン電池２３が電気二重層キャパシタ１９を充電し、電源スイッチがオフ状態のときに外部電源２からの電力でリチウムイオン電池２３が充電されるようにリレースイッチ２４を切り替える。【選択図】  図４
2006337541.tif 000002
【特許請求の範囲】
【請求項１】
キャパシタからなる補助電源と、
前記キャパシタを充電する電力源である二次電池と、
トナーを記録紙へ定着させる定着部を前記補助電源からの電力で加熱する第１定着ヒータと、
当該画像形成装置の主電源スイッチがオン状態のときに、外部電源からの電力で前記定着部を加熱する第２定着ヒータと、
前記外部電源からの電力で前記二次電池を充電するか、前記二次電池の電力を放電して前記補助電源を充電するかを切り替える切替手段と、
前記主電源スイッチがオン状態又はオフ状態のいずれであるかを判別する状態判別手段と、
前記状態判別手段により前記主電源スイッチがオン状態であると判別された場合には、前記二次電池を放電させる側に前記切替手段を切り替え、前記状態判別手段により前記主電源スイッチがオフ状態であると判別された場合には、前記外部電源により前記二次電池が充電される側に前記切替手段を切り替える制御手段と
を備える画像形成装置。
【請求項２】
前記第１定着ヒータを駆動させるか否かを切り替える第１定着ヒータ駆動手段と、
前記外部電源からの電力で前記第２の定着ヒータを駆動させるか否かを切り替える第２定着ヒータ駆動手段とを更に備え、
前記状態判別手段は、前記主電源スイッチがオン状態のときに、前記第１及び第２定着ヒータ駆動手段により前記第１及び第２の定着ヒータが駆動されるヒータオン状態であるか、前記第１及び第２定着ヒータ駆動手段により前記第１及び第２の定着ヒータが停止されるヒータオフ状態であるかを更に判別し、
前記制御手段は、前記状態判別手段によって前記主電源スイッチがオン状態と判別されている場合において、前記ヒータオン状態と判別された場合にのみ、前記補助電源を放電させる側に前記切替手段を切り替え、前記ヒータオフ状態とする場合には、前記二次電池を充電する側に前記切替手段を切り替える請求項１に記載の画像形成装置。
【請求項３】
前記切替手段は、当該画像形成装置に電力が供給されていない状態である場合は、前記補助電源を充電する側に切り替わる請求項１又は請求項２に記載の画像形成装置。
【請求項４】
深夜電力時間帯であるか否かを判別する時間帯判別手段と、
前記外部電源からの電力を二次電池に供給するか否かを切り替える電力供給切替手段とを更に備え、
前記制御手段は、前記状態判別手段により前記主電源スイッチがオフ状態であると判別され、かつ、前記時間帯判別手段により現時刻が深夜電力時間帯であると判別された場合には、前記電力供給切替手段を前記外部電源からの電力が前記二次電池に供給される側に切り替え、前記状態判別手段により前記スイッチオフ状態であると判別され、かつ、前記時間帯判別手段により現時刻が深夜電力時間帯でないと判別された場合には、前記電力供給切替手段を前記外部電源からの電力が二次電池に供給されない側に切り替える請求項１乃至請求項３のいずれかに記載の画像形成装置。
【請求項５】
前記二次電池が満充電になったか否かを判別する充電度判別手段を更に備え、
前記制御手段は、前記状態判別手段により前記スイッチオフ状態であると判別され、かつ、前記時間帯判別手段により現時刻が深夜電力時間帯であると判別された場合であっても、前記充電度判別手段により前記二次電池が満充電になったことが判別された場合には、前記電力供給切替手段を前記外部電源からの電力が前記二次電池に供給されない側に切り替える請求項４に記載の画像形成装置。
【請求項６】
前記制御手段は、前記状態判別手段により当該画像形成装置の状態が前記主電源スイッチがオフ状態であると判別され、かつ、前記充電度判別手段により前記二次電池が満充電になっていないことが判別された場合には、前記時間帯判別手段により現時刻が深夜電力時間帯でないと判別されていても、前記電力供給切替手段を前記外部電源からの電力が前記二次電池に供給される側に切り替える請求項５に記載の画像形成装置。
【請求項７】
前記二次電池の充電を行うか否かのユーザによる設定を受け付ける設定受付手段を更に備え、
前記制御手段は、前記状態判別手段により当該画像形成装置の状態が前記主電源スイッチがオフ状態であると判別されている場合において、前記充電度判別手段により前記二次電池が満充電になっていないことが判別され、かつ、前記設定受付手段により前記充電を行う旨の設定が受け付けられている場合には、前記時間帯判別手段により現時刻が深夜電力時間帯でないと判別された場合であっても、前記電力供給切替手段を前記外部電源からの電力が二次電池に供給される側に切り替える請求項５に記載の画像形成装置。
【発明の詳細な説明】
【技術分野】
【０００１】
本発明は、熱によりトナーを記録紙に定着させる定着部を有する画像形成装置に関する。
【背景技術】
【０００２】
コピー機等の画像形成装置は、商用電源からの電力を用いて定着ヒータを加熱しており、省エネルギー対策として、定着ヒータへの電力供給を停止した状態でプリント指示を待つ省エネルギーモードを備えているものがある。省エネルギーモードを備える画像形成装置においては、一旦電力供給を停止した定着ヒータは、その温度が定着可能な温度より下がってしまうため、省エネルギーモードからプリントモードへ復帰する際には、定着ヒータの温度が所定の温度に達するまでの待ち時間（立ち上り時間）が必要となる。
【０００３】
ここで、プリントモードへの復帰のために、大きな電力を使用すれば急速に定着ヒータの温度を上げることが可能となるが、日本国内における商用電源は、１００Ｖ、１５Ａで１５００Ｗが最大であるため、温度上昇時間を短縮させるには限界がある。そこで、例えば下記特許文献１に示されるように、立ち上り時間を短縮するために、充電可能な補助電源（コンデンサ又はバッテリ）を備え、省エネルギーモード時は商用電源により補助電源を充電し、省エネルギーモードからプリントモードへ復帰する際には、商用電源と補助電源の両方を用いて大電流を定着ヒータに流すことで立ち上り時間を短縮する画像形成装置が提案されている。
【０００４】
また、従来の画像形成装置では、長時間プリントを行う場合、多量の記録紙が定着ローラのニップ部に搬入されることによって、当該記録紙に定着ローラの熱が奪われてしまい、プリント中に定着ローラの温度が落ち込むことがある。
【０００５】
ここで、補助電源としてのコンデンサに適した電気二重層キャパシタと、補助電源としてのバッテリに適したリチウムイオン電池についてその特徴を説明する。電気二重層キャパシタは、大電流での充放電が可能であると共に、充放電の繰り返し寿命が比較的長い（例えば数十万回のオーダー）が、電圧が急速に低下するという特徴を有する。そのため、長時間電力を供給するためには、容量を大きくする必要があり高価となる。
【０００６】
リチウムイオン電池は、放電末期までの電圧の低下が小さいという特徴を有する。そのため、電気二重層キャパシタと比較して安価に長時間電力を供給することができる。また、リチウムイオン電池は、大電流で充放電を繰り返すほど寿命が短くなるという性質を有している。定着ヒータに用いられるハロゲンヒータを常温程度に冷めた状態から点灯させる場合には、ハロゲンヒータへの突入電流が大きく流れ、定格電流の１０倍近い電流が流れることもあるため、このような使用を行った場合にはリチウムイオン電池の充放電の繰り返し回数の寿命は約５００〜１０００回程度と比較的短い。
【特許文献１】特開平１０−２８２８２１号公報
【発明の開示】
【発明が解決しようとする課題】
【０００７】
省エネルギーモードから印刷モードへの立ち上がり時間を短縮することや、印刷中における定着ヒータの温度の落ち込みを防止することを行うには、補助電源を用いて、省エネルギーモードから印刷モードへの復帰時から印刷完了までの長期間にわたって大電流を定着ヒータに流すようにすればよい。しかしながら、電気二重層キャパシタは放電開始から電圧が急速に低下するという特徴を有するため、補助電源として電気二重層キャパシタを使用する場合には、長時間の使用に耐えるようにしなければならず、そのために電気二重層キャパシタの容量を大きくすると、電気二重層キャパシタが高価になる。
【０００８】
また、定着ローラに使用されるハロゲンヒータは、常温付近まで冷えた温度から点灯させた場合には大電流が流れるという性質を有するため、リチウムイオン電池を補助電源として用いると、大電流で充放電を繰り返さなければならなくなるのでリチウムイオン電池の寿命が短くなるという問題がある。
【０００９】
本発明は、上記問題点に鑑みて成されたもので、定着部の温度を定着可能温度まで立ち上げるために要する時間を短縮すると共に、印刷中の定着温度の落ち込みを解消することができ、しかも、補助電源の寿命が長く安価な画像形成装置を提供することを目的とする。
【課題を解決するための手段】
【００１０】
請求項１に係る画像形成装置は、キャパシタからなる補助電源と、
前記キャパシタを充電する電力源である二次電池と、
トナーを記録紙へ定着させる定着部を前記補助電源からの電力で加熱する第１定着ヒータと、
当該画像形成装置の主電源スイッチがオン状態のときに、外部電源からの電力で前記定着部を加熱する第２定着ヒータと、
前記外部電源からの電力で前記二次電池を充電するか、前記二次電池の電力を放電して前記補助電源を充電するかを切り替える切替手段と、
前記主電源スイッチがオン状態又はオフ状態のいずれであるかを判別する状態判別手段と、
前記状態判別手段により前記主電源スイッチがオン状態であると判別された場合には、前記二次電池を放電させる側に前記切替手段を切り替え、前記状態判別手段により前記主電源スイッチがオフ状態であると判別された場合には、前記外部電源により前記二次電池が充電される側に前記切替手段を切り替える制御手段と
を備える画像形成装置である。
【００１１】
この構成では、状態判別手段によって、当該画像形成装置の主電源スイッチがオン状態であると判別されると、制御手段は、二次電池からの電力で補助電源が充電されるように切替手段を切り替え、状態判別手段により主電源スイッチがオフ状態であると判別されると、制御手段は、外部電源からの電力で二次電池が充電されるように切替手段を切り換える。
【００１２】
請求項２に係る画像形成装置は、請求項１に記載の画像形成装置であって、前記第１定着ヒータを駆動させるか否かを切り替える第１定着ヒータ駆動手段と、
前記外部電源からの電力で前記第２の定着ヒータを駆動させるか否かを切り替える第２定着ヒータ駆動手段とを更に備え、
前記状態判別手段は、前記主電源スイッチがオン状態のときに、前記第１及び第２定着ヒータ駆動手段により前記第１及び第２の定着ヒータが駆動されるヒータオン状態であるか、前記第１及び第２定着ヒータ駆動手段により前記第１及び第２の定着ヒータが停止されるヒータオフ状態であるかを更に判別し、
前記制御手段は、前記状態判別手段によって前記主電源スイッチがオン状態と判別されている場合において、前記ヒータオン状態と判別された場合にのみ、前記補助電源を放電させる側に前記切替手段を切り替え、前記ヒータオフ状態とする場合には、前記二次電池を充電する側に前記切替手段を切り替えるものである。
【００１３】
この構成では、主電源スイッチがオン状態であると判別されている場合であっても、第１定着ヒータがヒータオン状態であるときに限り、制御手段が、切替手段を二次電池が補助電源を充電するように切り替え、第１定着ヒータがヒータオフ状態であるときは、切替手段を外部電源からの電力で二次電池が充電されるように切り替える。
【００１４】
請求項３に係る画像形成装置は、請求項１又は請求項２に記載の画像形成装置であって、前記切替手段は、当該画像形成装置に電力が供給されていない状態である場合は、前記補助電源を充電する側に切り替わるものである。
【００１５】
この構成では、当該画像形成装置に電力が供給されていない場合、例えば、当該画像形成装置の電源コンセントが外部電源から抜かれているとき等には、二次電池によって補助電源が充電されるようにしておき、次回画像形成装置によるプリントが行われるときに、補助電源からの電力によって、定着部の温度を短時間で所要温度まで上昇させることができるようにしている。
【００１６】
請求項４に係る画像形成装置は、請求項１乃至請求項３のいずれかに記載の画像形成装置であって、深夜電力時間帯であるか否かを判別する時間帯判別手段と、
前記外部電源からの電力を二次電池に供給するか否かを切り替える電力供給切替手段とを更に備え、
前記制御手段は、前記状態判別手段により前記主電源スイッチがオフ状態であると判別され、かつ、前記時間帯判別手段により現時刻が深夜電力時間帯であると判別された場合には、前記電力供給切替手段を前記外部電源からの電力が前記二次電池に供給される側に切り替え、前記状態判別手段により前記スイッチオフ状態であると判別され、かつ、前記時間帯判別手段により現時刻が深夜電力時間帯でないと判別された場合には、前記電力供給切替手段を前記外部電源からの電力が二次電池に供給されない側に切り替えるものである。
【００１７】
この構成では、状態判別手段により当該画像形成装置の状態が前記主電源スイッチがオフ状態であると判別された場合であっても、時間帯判別手段により現時刻が電気料金の安い深夜電力時間帯であると判別されなければ二次電池の充電を行わないようにして、二次電池の充電に要する電気料金を低く抑えるようにしている。
【００１８】
請求項５に係る画像形成装置は、請求項４に記載の画像形成装置であって、前記二次電池が満充電になったか否かを判別する充電度判別手段を更に備え、
前記制御手段は、前記状態判別手段により前記スイッチオフ状態であると判別され、かつ、前記時間帯判別手段により現時刻が深夜電力時間帯であると判別された場合であっても、前記充電度判別手段により前記二次電池が満充電になったことが判別された場合には、前記電力供給切替手段を前記外部電源からの電力が前記二次電池に供給されない側に切り替えるものである。
【００１９】
この構成では、充電度判別手段により二次電池が満充電になったことが判別された場合には、制御手段が、電力供給切替手段を外部電源からの電力が二次電池に供給されない側に切り替えることで、過充電を防ぎ、二次電池に与える負担を軽減している。
【００２０】
請求項６に係る画像形成装置は、請求項５に記載の画像形成装置であって、前記制御手段は、前記制御手段は、前記状態判別手段により当該画像形成装置の状態が前記主電源スイッチがオフ状態であると判別され、かつ、前記充電度判別手段により前記二次電池が満充電になっていないことが判別された場合には、前記時間帯判別手段により現時刻が深夜電力時間帯でないと判別されていても、前記電力供給切替手段を前記外部電源からの電力が前記二次電池に供給される側に切り替えるものである。
【００２１】
この構成では、充電度判別手段により二次電池が満充電になっていないと判別された場合には、時間帯判別手段により現時刻が深夜電力時間帯でないと判別されていても、制御手段が、電力供給切替手段を前記外部電源からの電力が二次電池に供給される側に切り替えて、電気料金の低減よりも二次電池の充電、すなわち、画像形成装置のパフォーマンスを重視するようにしている。
【００２２】
請求項７に係る画像形成装置は、請求項５に記載の画像形成装置であって、前記二次電池の充電を行うか否かのユーザによる設定を受け付ける設定受付手段を更に備え、
前記制御手段は、前記状態判別手段により当該画像形成装置の状態が前記主電源スイッチがオフ状態であると判別されている場合において、前記充電度判別手段により前記二次電池が満充電になっていないことが判別され、かつ、前記設定受付手段により前記充電を行う旨の設定が受け付けられている場合には、前記時間帯判別手段により現時刻が深夜電力時間帯でないと判別された場合であっても、前記電力供給切替手段を前記外部電源からの電力が二次電池に供給される側に切り替えるものである。
【００２３】
この構成では、設定受付手段により上記充電を行う旨の設定が受け付けられていれば、制御手段は、時間帯判別手段により現時刻が深夜電力時間帯でないと判別されていても、充電度判別手段により二次電池が満充電になっていないと判別されている場合には、電力供給切替手段を外部電源からの電力が二次電池に供給される側に切り替える。これにより、深夜電力時間帯以外の時間帯に二次電池の充電を行うか否かをユーザからの指示に応じて変更できるようにしている。
【発明の効果】
【００２４】
請求項１に記載の発明によれば、画像形成装置の主電源スイッチがオンとなっているときは、第２定着ヒータに加えて、補助電源からの電力により第１定着ヒータを加熱するので、定着部の温度が定着可能な温度に達するまでの待ち時間（立ち上り時間）を短縮することができる。そのため、プリント待機時には定着部の各ヒータをオフにしておくこともでき、大幅な電力の節約が可能になる。また、定着動作時には、通紙により定着部の温度が低下しても、第１定着ヒータによって当該温度低下分を補う加熱を行うことができる。
【００２５】
さらに、画像形成装置の主電源スイッチオン時には、二次電池からの電力で補助電源を常に充電するようにして、常に補助電源を満充電状態に保っておくことができるので、電荷の放出により補助電源の電圧が下がって第１定着ヒータに供給する電力が低下するという不具合が生じない。また、二次電池は、補助電源の充電用として機能し、定着ヒータの加熱用電源としては機能しないために大電流で放電することはなく、従って、大電流で充放電を繰り返すことがないので、二次電池の寿命を長く保つことができる。
【００２６】
請求項２に記載の発明によれば、画像形成装置の主電源スイッチがオン状態のときにおいて、ヒータオン状態のときに二次電池が補助電源を充電し、ヒータオフ状態であるときは、外部電源からの電力で二次電池が充電されるので、二次電池が補助電源の充電を行う必要がないタイミングで二次電池を充電して、その時点までの消費電力分を充電しておくことにより、二次電池が補助電源を充電できる状態に保っておくことができる。
【００２７】
請求項３に記載の発明によれば、当該画像形成装置に電力が供給されていない状態である場合、例えば、当該画像形成装置の電源コンセントが外部電源から抜かれているとき等であっても、二次電池によって補助電源が充電される状態を保つようにしておき、次回画像形成装置によるプリントが行われるときには、補助電源からの電力によって、定着部の温度を短時間で所要温度まで上昇させることができる。
【００２８】
請求項４に記載の発明によれば、当該画像形成装置の状態がスイッチオフ状態であっても、電気料金の安い深夜電力時間帯でなければ二次電池の充電を行わないので、二次電池の充電に要する電気料金を低く抑えることができる。
【００２９】
請求項５に記載の発明によれば、二次電池に対する過充電を防ぎ、二次電池に与える負担を軽減している。
【００３０】
請求項６に記載の発明によれば、二次電池が満充電になっていなければ、深夜電力時間帯でなくても二次電池を充電するので、画像形成装置のパフォーマンスを確保することができる。
【００３１】
請求項７に記載の発明によれば、設定受付手段により上記充電を行う旨の設定が受け付けられた場合には、二次電池が満充電になっていなければ、現時刻が深夜電力時間帯でなくても二次電池が充電されるので、深夜電力時間帯以外の時間帯に二次電池の充電を行うか否かをユーザからの指示に応じて変更できる。
【発明を実施するための最良の形態】
【００３２】
以下、本発明に係る実施形態を図面に基づいて説明する。図１は、本発明に係る画像形成装置の一実施形態である複合機の内部構成を示すブロック図であり、特に定着ローラを加熱する定着ヒータのオン／オフを制御する定着ヒータ制御機構を中心とした機能構成図である。図２は、複合機１の各状態種別（プラグイン状態、初期立ち上げ状態、プリント状態、レディ状態、スリープ状態、及び急速立ち上げ状態）及び、各状態から他の状態に遷移する契機となるイベントの種別とを示す状態遷移情報である。なお、本発明に係る画像形成装置は、例えばプリンタ、複写機、ファクシミリ装置、又はこれらの機能を併せ持つ上記複合機等のいずれでもよい。本実施形態では、本発明に係る画像形成装置を複合機を例にして説明している。
【００３３】
複合機１において、定着ローラ（図示省略）は、感光体ドラムからトナー画像が転写された記録紙を熱ローラ及び加圧ローラ（図示省略）でニップし、熱及び圧力によりトナー画像を記録紙に定着させるものである。外部電源２は、例えばいわゆる商用電源で、電力会社によるＡＣ（交流）電源である。電源制御回路２１は、複合機１を起動させる主電源スイッチであるメインスイッチ（主電源スイッチ）２２のオン又はオフに応じて、外部電源２からの電力を装置各部に供給するか否かを制御するものである。
【００３４】
複合機１は、画像形成部１１、指示受付部１２、タイマ１３、定着ローラ温度センサ１４、制御部１５、第１定着ヒータ１７、ヒータＯＮ／ＯＦＦ制御回路１８、電気二重層キャパシタ（補助電源）１９、スイッチングレギュレータ２０、リチウムイオン電池（二次電池）２３、リレースイッチ（切替手段）２４、バッテリ充電制御回路２５（電力供給切替手段）、第２定着ヒータ２６、第２定着ヒータ駆動回路２７及びバッテリ残量検出部２８を備える。
【００３５】
画像形成部１１は、記録紙にトナー画像を形成する画像形成を行うものであり、複合機１では、例えばコピー機能、プリンタ機能、ファクシミリ受信機能が実行される際にプリント指示を受けて動作する。指示受付部（設定受付部）１２は、ユーザ等からの複合機１に対する各種動作実行指示を受け付けるものであり、例えば、コピー機能、プリンタ機能、ファクシミリ受信機能の実行指示等を受け付けるものである。指示受付部１２において、コピー機能実行指示は、当該複合機１の操作パネル（図示省略）からユーザにより当該複合機１に入力される。プリンタ機能実行指示は、ネットワーク等により複合機１に接続された例えばＰＣ（パーソナルコンピュータ）から当該複合機１に送信される。ファクシミリ受信実行指示は、公衆回線等により複合機１に接続されたファクシミリ送信装置から当該複合機１に送信される。
【００３６】
タイマ（時間帯判別手段の一部として機能）１３は、状態判別部１５２から指示を受けた時点からの経過時間や現在時刻を計時するものである。定着ローラ温度センサ１４は、定着ローラの温度を計測して、定着ローラ温度制御部１５１に出力するものである。
【００３７】
第１定着ヒータ１７及び第２定着ヒータ２６は、定着ローラを加熱するためのヒータであり、本実施形態では、ハロゲンヒータからなる。第１定着ヒータ１７は、例えば１３００〜１８００ＷのＤＣ（直流）ヒータで、第２定着ヒータ２６は、例えば１２００ＷのＡＣ（交流）ヒータである。第１定着ヒータ１７は、大電流を流して急速に加熱するために消費電力の大きいものを用いている。第１定着ヒータ１７及び第２定着ヒータ２６は隣接して設置されている。
【００３８】
電気二重層キャパシタ１９は、第１定着ヒータ１７を駆動するための電源として機能する。電気二重層キャパシタ１９は、大電流での充放電が可能である。電気二重層キャパシタ１９は、充放電の繰り返し寿命が比較的長いが（例えば数十万回のオーダー）、電荷を放出すると電力（電圧）が急速に低下するという特徴を有する。電気二重層キャパシタ１９の充電時間は例えば数１０秒である。
【００３９】
ヒータＯＮ／ＯＦＦ制御回路（第１定着ヒータ駆動手段）１８は、電気二重層キャパシタ１９からの電力で第１定着ヒータ１７を駆動するか否かを制御するものである。すなわち、ヒータＯＮ／ＯＦＦ制御回路１８は、電気二重層キャパシタ１９からの電力で第１定着ヒータ１７を加熱するか否かを切り替え制御する。スイッチングレギュレータ２０は、リチウムイオン電池２３から入力される電圧を平滑化して、安定した直流電圧を電気二重層キャパシタ１９に出力する電源安定化装置である。
【００４０】
リチウムイオン電池２３は、電気二重層キャパシタ１９を充電するために、電気二重層キャパシタ１９に電力を供給する充電式の電源である。リチウムイオン電池２３は、放電末期までの電圧の低下が小さいという特徴を有する。リチウムイオン電池２３の充電時間は例えば１０分である。リレースイッチ２４は、リチウムイオン電池２３を、(1)当該リチウムイオン電池２３が放電する電力で電気二重層キャパシタ１９を充電するように回路を接続するか、(2)外部電源２を電力供給源としてリチウムイオン電池２３を充電するように回路を接続するかを切り替えるスイッチである。
【００４１】
バッテリ充電制御回路２５は、外部電源２からの電力をリチウムイオン電池２３に供給するか否かを切り替えることにより、リチウムイオン電池２３を充電するか否かを切り替えるスイッチである。リレースイッチ２４をリチウムイオン電池２３を充電する側に接続を切り替え、かつ、バッテリ充電制御回路２５が外部電源２からの電力をリチウムイオン電池２３に供給することで、リチウムイオン電池２３が充電される。
【００４２】
第２定着ヒータ駆動回路（第２定着ヒータ駆動手段）２７は、外部電源２を電力供給源として第２定着ヒータ２６を駆動するか否か、すなわち、第２定着ヒータ２６を加熱させるか否かを切り替えるスイッチとして機能する。当該スイッチをオンにすると第２定着ヒータ２６が駆動され、当該スイッチをオフにすると第２定着ヒータ２６が停止される。
【００４３】
なお、複合機１は、メインスイッチ２２がオフされており、電源プラグが外部電源２のコンセントに接続されている場合には、リレースイッチ２４が、外部電源２からの電力でリチウムイオン電池２３が充電される側に切り替えられ、バッテリ充電制御回路２５が外部電源２の電力をリチウムイオン電池２３に供給するように設定されている。また、電源プラグが外部電源２のコンセントから外された場合には、リレースイッチ２４が、リチウムイオン電池２３の電力で電気二重層キャパシタ１９が充電される側に切り替わるように設定されている。
【００４４】
制御部１５は、複合機１全体の動作を制御するもので、プログラムを実行するＣＰＵ（中央処理装置）、前記プログラムを格納するＲＯＭ（リードオンリーメモリ）、前記プログラム実行時の一時的な記憶領域として用いられるＲＡＭ（ランダムアクセスメモリ）等から構成される。制御部１５は、定着ローラ温度制御部１５１、状態判別部１５２及びスイッチ制御部１５３を備える。
【００４５】
状態判別部（状態判別手段、時間帯判別手段、充電度判別手段）１５２は、当該複合機１の現在の状態が、初期立ち上げ状態、プリント状態、レディ状態、スリープ状態、及プラグイン状態、及び急速立ち上げ状態のいずれにあるかを判別するものである。状態判別部１５２は、電源制御回路２１から送出されてくるメインスイッチ２２のオン又はオフ状態や、指示受付部１２からプリント指示が所定時間入力されないこと等に基づいて、複合機１が上記いずれの状態であるかを判別する。
【００４６】
初期立ち上げ状態は、複合機１に電源が投入された時点から（メインスイッチ２２がオンとされてから）、定着ローラの温度が定着可能な所定の第１の温度範囲（例えば、180℃前後）に至るまでの状態である。
【００４７】
プリント状態とは、複合機１がプリント動作を行っている間の状態（印刷（複写等を含む）を受け付けてから完了するまでの間の状態）である。プリント状態においては、定着ローラの温度は上記第１の温度範囲内に保たれる。
【００４８】
レディ状態は、プリント指示の入力を待機し、プリント指示があれば即座に定着ローラを上記第１の温度範囲まで上昇させることができる状態のことである。このレディ状態は、定着ローラの温度が、上記第１の温度範囲内よりも低い第２の温度範囲（例えば、90℃前後）とされる。
【００４９】
また、スリープ状態は、省電力化のために第１定着ヒータ１７及び第２定着ヒータ２６をオフにした状態であり、一定時間プリント指示が入力されない場合に、レディ状態からスリープ状態に移行するようになっている。
【００５０】
プラグイン状態とは、電源プラグが外部電源２のコンセントに差し込まれている状態であるが、メインスイッチ２２がオフとなっている状態をいう。
【００５１】
急速立ち上げ状態は、スリープ状態のときにプリント指示を受け付けた場合に、この受付時点から定着ローラの温度が定着可能な上記第１の温度範囲に立ち上がる状態をいう。
【００５２】
状態判別部１５２は、図２に示す状態遷移情報を予め記憶しており、現在の状態（遷移元状態）、及び発生したイベントから次に遷移する状態（遷移先状態）を判別する。状態判別部１５２は、電源制御回路９から送出されてくるメインスイッチ２２のオン又はオフ状態や、指示受付部１２からプリント指示が所定時間入力されないこと等に基づいて、複合機１が上記いずれの状態であるかを判別する。状態判別部１５２は、判別した現在の状態、及び次に遷移する状態を示す情報をスイッチ制御部１５３に送出する。
【００５３】
定着ローラ温度制御部１５１は、プリント状態において、定着ローラの温度が上記第１の温度範囲内となるように、ヒータＯＮ／ＯＦＦ制御回路１８及び第２定着ヒータ駆動回路２７を駆動制御して、第１定着ヒータ１７及び第２定着ヒータ２６のオンオフを制御するものである。また、定着ローラ温度制御部１５１は、レディ状態において、定着ローラの温度が所定の第２の温度範囲内にあるように第２定着ヒータ２６のオンオフを制御するものである。これら定着ローラ温度制御部１５１による各制御は、スイッチ制御部１５３を介して行われる。
【００５４】
スイッチ制御部（制御手段）１５３は、状態判別部１５２によって判別された現在の複合機１の各状態毎に、或いは、定着ローラ温度制御部１５１からの指示に基づいて、ヒータＯＮ／ＯＦＦ制御回路１８，リレースイッチ２４、バッテリ充電制御回路２５及び第２定着ヒータ駆動回路２７の切り替えを制御するものである。
【００５５】
バッテリ残量検出部（充電度判別手段の一部として機能）２８は、リチウムイオン電池２３の充電の程度（バッテリ残量）を検出し、検出結果を状態判別部１５２に送出するものである。
【００５６】
図３は、上記複合機１の各状態におけるヒータＯＮ／ＯＦＦ制御回路１８，リレースイッチ２４、バッテリ充電制御回路２５及び第２定着ヒータ駆動回路２７の状態を示す図である。この複合機１の各状態に対応するヒータＯＮ／ＯＦＦ制御回路１８，リレースイッチ２４、バッテリ充電制御回路２５及び第２定着ヒータ駆動回路２７の切替制御は、スイッチ制御部１５３によって行われる。複合機１の各状態に対応するヒータＯＮ／ＯＦＦ制御回路１８，リレースイッチ２４、バッテリ充電制御回路２５及び第２定着ヒータ駆動回路２７の状態は、スイッチ制御部１５３が自ら記憶しておいてもよいし、図略の記憶部に記憶させておき、スイッチ制御部１５３が必要に応じて読み出すものとしてもよい。また、バッテリ充電制御回路２５による電力供給制御は、電力を供給する場合をオン、電力を供給しない場合をオフとして示す。
【００５７】
初期立ち上げ状態及び急速立ち上げ状態においては、リレースイッチ２４がリチウムイオン電池２３を放電させる側（電気二重層キャパシタ１９を充電する側）に切り替えられ、バッテリ充電制御回路２５はオフとされる。また、ヒータＯＮ／ＯＦＦ制御回路１８により第１定着ヒータ１７はオンとされ、第２定着ヒータ駆動回路２７により第２定着ヒータ２６はオンとされる。
【００５８】
また、レディ状態においては、ヒータＯＮ／ＯＦＦ制御回路１８により第１定着ヒータ１７はオフとされ、リレースイッチ２４がリチウムイオン電池２３を放電させる側（電気二重層キャパシタ１９を充電する側）に切り替えられた状態であるが、バッテリ充電制御回路２５はオフとされ、また、第２定着ヒータ駆動回路２７により第２定着ヒータ２６はオンとされる。
【００５９】
スリープ状態及びプラグイン状態では、ヒータＯＮ／ＯＦＦ制御回路１８により第１定着ヒータ１７がオフとされ、リレースイッチ２４は、リチウムイオン電池２３を充電させる側に切り替えられる。バッテリ充電制御回路２５はオンとされてリチウムイオン電池２３が充電される。第２定着ヒータ駆動回路２７により第２定着ヒータ２６もオフとされる。
【００６０】
プリント状態においては、定着ローラ温度センサ１４からスイッチ制御部１５３に入力される定着ローラの温度値に基づいて、ヒータＯＮ／ＯＦＦ制御回路１８により第１定着ヒータ１７のオン又はオフが切り替えられ、定着ローラの温度が上記第１の温度範囲に保たれるようになっている。バッテリ充電制御回路２５はオフとされる。リレースイッチ２４はリチウムイオン電池２３を放電させる側（電気二重層キャパシタ１９を充電する側）に切り替えられる。第２定着ヒータ駆動回路２７により第２定着ヒータ２６はオンとされる。
【００６１】
次に、本発明に係る複合機１定着ヒータ制御機構の回路イメージについて説明する。図４は、定着ヒータ制御機構の回路イメージ（概略）を示す回路図である。
【００６２】
外部電源（ＡＣ）２は、第２定着ヒータ駆動回路２７を介して第２定着ヒータ２６に接続される。外部電源２は、ＡＣ電流をＤＣ電流に整流するダイオード４１を介して第１定着ヒータ１７側に接続される。これにより、第１定着ヒータ１７にはＤＣ電流が流れ、第２定着ヒータ２６にはＡＣ電流が流れる。これら第１定着ヒータ１７及び第２定着ヒータ２６により定着ヒータ３０が構成される。
【００６３】
第１定着ヒータ１７が接続される回路には、バッテリ充電制御回路２５、リチウムイオン電池２３、スイッチングレギュレータ２０、リレースイッチ２４、電気二重層キャパシタ１９、及びヒータＯＮ／ＯＦＦ制御回路１８が接続されている。ダイオード４１からの電流は、バッテリ充電制御回路２５を介してリチウムイオン電池２３に供給される。バッテリ充電制御回路２５とリチウムイオン電池２３との間には、リレースイッチ２４が備えられており、このリレースイッチ２４により、(1)リチウムイオン電池２３をバッテリ充電制御回路２５側に接続して外部電源２からの電力でリチウムイオン電池２３が充電される接続とするか、また、(2)リチウムイオン電池２３をスイッチングレギュレータ２０側に接続し、電気二重層キャパシタ１９に電力を供給して、リチウムイオン電池２３の電力で電気二重層キャパシタ１９を充電する接続とするか、が切り替えられる。
【００６４】
電気二重層キャパシタ１９は、スイッチングレギュレータ２０に接続されてリチウムイオン電池２３からの電力で充電されるが、第１定着ヒータ１７にも接続されて電気二重層キャパシタ１９の電力を第１定着ヒータ１７に供給するようになっている。これら電気二重層キャパシタ１９と第１定着ヒータ１７との間には、ヒータＯＮ／ＯＦＦ制御回路１８が接続されており、電気二重層キャパシタ１９からの電力で第１定着ヒータ１７を駆動するか否かを制御できるようになっている。
【００６５】
また、第２定着ヒータ２６側の回路は、外部電源２と第２定着ヒータ２６が接続されるが、これら外部電源２と第２定着ヒータ２６との間には、第２定着ヒータ駆動回路２７が接続されており、この第２定着ヒータ駆動回路２７により、外部電源２からの電力で第２定着ヒータ２６を駆動するか否かを制御できるようになっている。
【００６６】
次に、複合機１における定着ヒータ駆動制御時の処理について第１実施形態を説明する。図５及び図６は、複合機１における定着ヒータ駆動制御時の処理について第１実施形態を示すフローチャートである。
【００６７】
複合機１は、複合機１の電源プラグがコンセントから外されている状態では、リレースイッチ２４はリチウムイオン電池２３を放電させる側（電気二重層キャパシタ１９を充電する側）に切り替えられており、ヒータＯＮ／ＯＦＦ制御回路１８は第１定着ヒータ１７をオフ、バッテリ充電制御回路２５はオフ（リチウムイオン電池２３に外部電源２の電力を供給しない状態）、第２定着ヒータ駆動回路２７は第２定着ヒータ２６をオフとしている。なお、このスイッチ状態への移行は、例えば、電源制御回路２１が、複合機１の電源プラグがコンセントから外されたことを検出して、この状態を示す信号を状態判別部１５２に送出し、当該信号に基づいて状態判別部１５２によって判別された複合機１の当該状態に基づいて、スイッチ制御部１５３がリレースイッチ２４等を上記のように切り替えることによって実現される。
【００６８】
複合機１の電源プラグがコンセントに装着され、電源制御回路２１から状態判別部１５２に当該状態を示す信号が送出されると、状態判別部１５２が複合機１がプラグイン状態であると判別し、スイッチ制御部１５３は、ヒータＯＮ／ＯＦＦ制御回路１８に第１定着ヒータ１７をオフとさせ、第２定着ヒータ駆動回路２７には第２定着ヒータ２６をオフとさせ、さらに、リレースイッチ２４をリチウムイオン電池２３を充電させる側に切り替えると共に、バッテリ充電制御回路２５をオンにして、外部電源２の電力でリチウムイオン電池２３が充電される状態とする（Ｓ１）。これにより、外部電源２からの電力で、リチウムイオン電池２３の充電が開始されるようになっている。
【００６９】
そして、複合機１のメインスイッチ２２（主電源スイッチ）が、オンとされたことを電源制御回路２１が検知すると（Ｓ２でＹＥＳ）、電源制御回路２１はメインスイッチ２２がオン状態となったことを示す信号を状態判別部１５２に送出する。状態判別部１５２は、これをもって状態判別部１５２が複合機１の状態が初期立ち上げ状態であると判別し、この装置状態を示す信号をスイッチ制御部１５３に送出すると、スイッチ制御部１５３は、リレースイッチ２４をリチウムイオン電池２３を放電させる側（電気二重層キャパシタ１９を充電する側）に切り替え、バッテリ充電制御回路２５をオフとし、さらに、ヒータＯＮ／ＯＦＦ制御回路１８により第１定着ヒータ１７をオンとし、第２定着ヒータ駆動回路２７に第２定着ヒータ２６をオンとさせる（Ｓ３）。このように切替制御を行った場合、電気二重層キャパシタ１９が充電されていれば、第２定着ヒータ２６に加えて、第１定着１７も駆動される。この状態は、定着ローラ温度制御部１５１及びスイッチ制御部１５３により、定着ローラ温度センサ１４から得られる定着ローラの温度が、上述の第１の温度範囲に達したと検出されるまで継続される（Ｓ４でＮＯ）。
【００７０】
定着ローラ温度センサ１４により定着ローラの温度が第１の温度範囲に達すると（Ｓ４でＹＥＳ）、状態判別部１５２は、指示受付部１２からプリント指示を受け付けたことを示す信号が入力されたかを判断する（Ｓ５）。指示受付部１２からプリント指示を受け付けたことを示す信号が入力された場合（Ｓ５でＹＥＳ）、状態判別部１５２は、複合機１の状態がプリント状態であると判断し、この装置状態を示す信号をスイッチ制御部１５３に送出する。スイッチ制御部１５３は、リレースイッチ２４をリチウムイオン電池２３を放電させる側（電気二重層キャパシタ１９を充電する側）とし、バッテリ充電制御回路２５をオフとし、第２定着ヒータ駆動回路２７に第２定着ヒータ２６をオンとさせた状態を維持するが、ヒータＯＮ／ＯＦＦ制御回路１８には、定着ローラ温度センサ１４から送られてくる温度情報に基づいて、定着ローラの温度が上記第１の温度範囲を保つように、適時に第１定着ヒータ１７のオン／オフを切り替えさせる（Ｓ６）。プリント時には、定着ローラへの通紙状況により、第２定着ヒータ２６による加熱だけでは、定着ローラの熱が記録紙に奪われて定着ローラの温度が低下することがあるため、かかる温度低下を回避して、定着ローラの温度を一定に保つためである。
【００７１】
プリントが終了すると（Ｓ７でＹＥＳ）、状態判別部１５２は、複合機１の状態がレディ状態になったと判別して、この装置状態を示す信号をスイッチ制御部１５３に送出する。スイッチ制御部１５３は、リレースイッチ２４をリチウムイオン電池２３を放電させる側（電気二重層キャパシタ１９を充電する側）とし、バッテリ充電制御回路２５をオフとし、第２定着ヒータ駆動回路２７に第２定着ヒータ２６をオンとさせた状態を維持するが、ヒータＯＮ／ＯＦＦ制御回路１８には、第１定着ヒータ１７をオフにさせる（Ｓ８）。
【００７２】
なお、上記Ｓ５で指示受付部１２からプリント指示を受け付けたことを示す信号が状態判別部１５２に入力されない場合も（Ｓ５でＮＯ）、状態判別部１５２は、複合機１の状態がレディ状態になったと判別して、この装置状態をスイッチ制御部１５３に送出し、Ｓ８の処理を行う。
【００７３】
状態判別部１５２は、複合機１の状態を上記レディ状態と判別した場合、上記Ｓ８の処理を行うと共に、複合機１の状態をレディ状態を判別した時点からの時間経過の計測をタイマ１３に開始させる（Ｓ９）。このタイマ１３による経過時間計測中に、指示受付部１２から、プリント指示を受け付けたことを示す信号が状態判別部１５２に入力された場合は（Ｓ１０でＹＥＳ）、状態判別部１５２は、複合機１の状態をプリント状態と判別としスイッチ制御部１５３は、Ｓ６の処理を再び行わせる。プリント指示が受け付けられることなく（Ｓ１０でＮＯ）、タイマ１３により所定時間（例えば、1分）が経過したことが計測された場合は（Ｓ１１でＹＥＳ）、状態判別部１５２は、複合機１の状態がスリープ状態になったと判別して、この装置状態を示す信号をスイッチ制御部１５３に送出する。スイッチ制御部１５３は、リレースイッチ２４を、リチウムイオン電池２３を外部電源２からの電力で充電する側とし、バッテリ充電制御回路２５をオンとして、リチウムイオン電池２３への充電を開始させる。また、スイッチ制御部１５３は、ヒータＯＮ／ＯＦＦ制御回路１８に第１定着ヒータ１７をオフとさせ、第２定着ヒータ駆動回路２７にも第２定着ヒータ２６をオフとさせる（Ｓ１２）。このように第１定着ヒータ１７及び第２定着ヒータ２６の両方をオフにすることによって、消費電力を低減した状態で更なるプリント指示に待機する。
【００７４】
上記スリープ状態のときに、状態判別部１５２に、指示受付部１２からプリント指示を受け付けたことを示す信号が入力されると（Ｓ１３でＹＥＳ）、状態判別部１５２は、複合機１の状態が急速立ち上げ状態であると判断し、この装置状態を示す信号をスイッチ制御部１５３に送出する。この急速立ち上げ状態の場合、処理はＳ３に戻り、スイッチ制御部１５３は、リレースイッチ２４をリチウムイオン電池２３を放電させる側（電気二重層キャパシタ１９を充電する側）に切り替え、バッテリ充電制御回路２５をオフとし、さらに、ヒータＯＮ／ＯＦＦ制御回路１８により第１定着ヒータ１７をオンとし、第２定着ヒータ駆動回路２７に第２定着ヒータ２６をオンとさせる。以後、Ｓ３乃至Ｓ１４の処理を繰り返す。
【００７５】
なお、Ｓ３乃至Ｓ１４の処理のいずれかの時点でメインスイッチ２２がオフになったことが検出されると、処理はＳ１に戻される。
【００７６】
次に、複合機１による定着ヒータ駆動制御時の処理の第２実施形態を説明する。図７は、複合機１による定着ヒータ駆動制御時の処理の第２実施形態を示すフローチャートである。なお、図５及び図６に示した第１実施形態と同様の処理については、同符号を付して説明を省略する。複合機１の電源プラグがコンセントに装着され、電源制御回路２１からの信号によって状態判別部１５２がこの状態を判別すると、状態判別部１５２は、タイマ１３からの現在時刻情報に基づいて、電気料金が低額となる深夜電力時間帯（例えば、23時から翌朝7時までの時間帯。この深夜電力時間帯は電力会社の設定によるため、電力会社の設定に応じた時間帯を状態判別部１５２に記憶させておくものとする。）であるか否かを判別し（Ｓ２１）、深夜電力時間帯でない場合は（Ｓ２１でＮＯ）、スイッチ制御部１５３が、ヒータＯＮ／ＯＦＦ制御回路１８に第１定着ヒータ１７をオフとさせ、第２定着ヒータ駆動回路２７には第２定着ヒータ２６をオフとさせた状態とし、リレースイッチ２４をリチウムイオン電池２３を充電させる側に切り替えるが、バッテリ充電制御回路２５はオフにして（Ｓ２２）、外部電源２の電力によるリチウムイオン電池２３の充電は行わなれないようにする。状態判別部１５２が、深夜電力時間帯であると判別した場合にのみ（Ｓ２１でＹＥＳ）、バッテリ充電制御回路２５をオンにして（Ｓ１）、外部電源２の電力でリチウムイオン電池２３を充電する。このようにすれば、電気料金の安い深夜電力時間帯にのみ、リチウムイオン電池２３の充電を行うことになるので、二次電池の充電に要する電気料金を低く抑えることができる。
【００７７】
次に、複合機１における定着ヒータ駆動制御時の処理について第３実施形態を説明する。図８は、複合機１における定着ヒータ駆動制御時の処理について第３実施形態を示すフローチャートである。なお、図５乃至図７に示した第１及び第２実施形態と同様の処理については、同符号を付して説明を省略する。複合機１の電源プラグがコンセントに装着され、電源制御回路２１からの信号によって状態判別部１５２がこの状態を判別すると、状態判別部１５２は、バッテリ残量検出部２８によって検出されるバッテリ残量の情報に基づいて、リチウムイオン電池２３が満充電となっているか否かを判断する（Ｓ３１）。ここで、状態判別部１５２が、リチウムイオン電池２３が満充電となっていると判断した場合は（Ｓ３１でＹＥＳ）、バッテリ充電制御回路２５はオフにして（Ｓ２２）、外部電源２の電力によるリチウムイオン電池２３の充電は行わない。
【００７８】
また、状態判別部１５２が、リチウムイオン電池２３が満充電となっていないと判断した場合は（Ｓ３１でＮＯ）、さらに、タイマ１３からの現在時刻情報に基づいて深夜電力時間帯であるか否かを判別し（Ｓ２１）、深夜電力時間帯であれば（Ｓ２１でＹＥＳ）、バッテリ充電制御回路２５をオンにして（Ｓ１）、外部電源２の電力でリチウムイオン電池２３を充電する。また、深夜電力時間帯でなくても（Ｓ２１でＮＯ）、指示受付部１２に、リチウムイオン電池２３を充電させる旨の指示がユーザから受け付けられている場合には（Ｓ３２でＹＥＳ）、状態判別部１５２は、スイッチ制御部１５３に、バッテリ充電制御回路２５をオンにさせて（Ｓ１）、外部電源２の電力でリチウムイオン電池２３を充電させる。なお、指示受付部１２に、リチウムイオン電池２３を充電させる旨の指示がユーザから受け付けられていない場合は（Ｓ３２でＮＯ）、状態判別部１５２は、スイッチ制御部１５３に、バッテリ充電制御回路２５をオフにさせて（Ｓ２２）、リチウムイオン電池２３を充電させない。このようにすれば、深夜電力時間帯以外の時間帯に二次電池の充電を行うか否かを、ユーザからの指示に応じて変更できる。
【００７９】
なお、本発明は、上記実施形態のものに限定されるものではなく、更に以下に述べる態様を採用することができる。上記図７に示した第２実施形態においては、深夜電力時間帯でない場合は（Ｓ２１でＮＯ）、外部電源２の電力によるリチウムイオン電池２３の充電を行わないようにしているが（Ｓ２２）、深夜電力時間帯でなくても、バッテリ残量検出部２８によって検出されるリチウムイオン電池２３の残量の情報に基づき、状態判別部１５２が、リチウムイオン電池２３が満充電状態でないと判別した場合は、外部電源２の電力でリチウムイオン電池２３を充電するようにスイッチ制御部１５３が制御を行うようにしてもよい。
【００８０】
また、上記実施形態では、定着ヒータは、外部電源に接続されているもの、電気二重層キャパシタに接続されているものがそれぞれ別個に設けられている形態を示したが、これら２つの電源に共通する１つの定着ヒータを接続するようにしてもよい。
【００８１】
また、上記実施形態においては、第１定着ヒータ１７にはＤＣ電流が流れ、第２定着ヒータ２６にはＡＣ電流が流れるように構成されているが、本発明は、各定着ヒータに流される電流にＡＣを用いるかＤＣを用いるかに限定されるものではない。
【００８２】
また、上記各実施形態では、補助電源として電気二重層キャパシタ１９を用い、二次電池としてリチウムイオン電池２３を用いているが、電気二重層キャパシタ１９又はリチウムイオン電池２３は、補助電源又は二次電池の一例に過ぎず、補助電源又は二次電池として他のものを用いても構わない。
【００８３】
また、上記図１乃至図８に示した構成及び処理は、本発明の単なる一実施形態に過ぎず、本発明の構成及び処理をこれらに限定するものではない。
【図面の簡単な説明】
【００８４】
【図１】本発明に係る画像形成装置の一実施形態である複合機の内部構成を示すブロック図であり、特に定着ローラを加熱する定着ヒータのオン／オフを制御する定着ヒータ制御機構を中心とした機能構成図である。
【図２】複合機の各状態種別及び、各状態から他の状態に遷移する契機となるイベントの種別とを示す状態遷移情報である。
【図３】複合機の各状態におけるヒータＯＮ／ＯＦＦ制御回路、リレースイッチ、バッテリ充電制御回路及び第２定着ヒータ駆動回路の状態を示す図である。
【図４】定着ヒータ制御機構の回路イメージ（概略）を示す回路図である。
【図５】複合機による定着ヒータ駆動制御時の処理の第１実施形態を示すフローチャートである。
【図６】複合機による定着ヒータ駆動制御時の処理の第１実施形態を示すフローチャートである。
【図７】複合機による定着ヒータ駆動制御時の処理の第２実施形態を示すフローチャートである。
【図８】複合機による定着ヒータ駆動制御時の処理の第３実施形態を示すフローチャートである。
【符号の説明】
【００８５】
１      複合機
２      外部電源
１１    画像形成部
１２    指示受付部
１３    タイマ
１４    定着ローラ温度センサ
１５    制御部
１７    定着ヒータ
１８    ヒータＯＮ／ＯＦＦ制御回路
１９    電気二重層キャパシタ
２０    スイッチングレギュレータ
２１    電源制御回路
２２    メインスイッチ
２３    リチウムイオン電池
２４    リレースイッチ
２５    バッテリ充電制御回路
２６    定着ヒータ
２７    第２定着ヒータ駆動回路
２８    バッテリ残量検出部
４１    ダイオード
１５１  定着ローラ温度制御部
１５２  状態判別部
１５３  スイッチ制御部
【図１】
2006337541.tif 000003
【図２】
2006337541.tif 000004
【図３】
2006337541.tif 000005
【図４】
2006337541.tif 000006
【図５】
2006337541.tif 000007
【図６】
2006337541.tif 000008
【図７】
2006337541.tif 000009
【図８】
2006337541.tif 000010